(57)【要約】【課題】歩数計とパソコンをＵＳＢケーブル等のケーブルで接続することなく、歩数計の歩数データを容易にパソコン等の情報処理装置に転送可能とすることを目的とする。又、健康管理に有用な歩数データをパソコンを用いて容易に管理することを目的とする。【解決手段】歩数を計測し、記憶する歩数計３であって、計測して記憶した歩数データを、近距離無線通信ＩＣリーダ４へ、近距離無線通信ＩＣチップ２とアンテナ７２を用いて非接触で送信することを特徴とする歩数計３。【選択図】  図１
2008276581.tif 000002
【特許請求の範囲】
【請求項１】
歩数を計測し、記憶する歩数計であって、計測して記憶した歩数データを、外部リーダへ非接触で送信する手段を備え、該非接触で送信する手段を近距離無線通信ＩＣチップとアンテナを備えて構成したことを特徴とする歩数計。
【請求項２】
前記歩数計は、計測者の歩数を検出して、一歩毎に信号を出力する歩数検出部と、該歩数検出部からの出力信号を受信して歩数をカウントする計測手段と、該カウントされた歩数を記憶する記憶部と、該記憶部に記憶された歩数を表示する表示部を備えることを特徴とする請求項１記載の歩数計。
【請求項３】
時刻を計時する時計を備え、前記記憶部に歩数とそのカウントされた時刻とが対応付けられて記憶されることを特徴とする請求項１又は２記載の歩数計。
【請求項４】
前記記憶部には歩数計毎に固有の端末ＩＤが記憶され、歩数データと共に前記外部のリーダへ送信されることを特徴とする請求項１から３のうち何れかに記載の歩数計。
【請求項５】
請求項１から４のうち何れかに記載の歩数計と、該歩数計から非接触で歩数データを受信するリーダを備えた情報処理装置を備えて構成されることを特徴とする歩数管理システム。
【請求項６】
前記情報処理装置には、前記リーダを介して前記歩数計から受信した歩数データに基づいて、歩数管理データを生成する歩数管理データ作成手段を備えていることを特徴とする請求項５記載の歩数管理システム。
【発明の詳細な説明】
【技術分野】
【０００１】
本願発明は、歩数計に関し、特に歩数計のデータを容易にパソコン等の情報処理装置に転送可能な歩数計及び当該歩数計を用いた歩数管理システムに関する。
【背景技術】
【０００２】
従来から計測者がベルトに装着したり、ポケットや鞄に入れて携帯することにより、計測者の歩いた歩数を自動的に計測し、その歩数を表示する歩数計が存在している。そして、今日の健康に対する意識の高まりのなかで、ウォーキングの効果が見直されており、このウォーキングの歩数を計測して、運動量を把握するために、歩数計が利用されている。
【０００３】
又、歩数計に歩数を表示させるだけではなく、パソコンに歩数データを取り込んで、該データを管理し、健康管理に用いることも行われている。
【０００４】
そして、このようにパソコン等の情報処理装置にデータを取り込む場合、従来は、歩数計のデータを目視し、パソコンのキーボードやマウスを用いて、パソコンに手入力で取り込む方法が行われていた。
【０００５】
しかし、この方法では、作業が煩雑であったり、又、誤入力をする場合もある等の欠点があった。
【０００６】
そこで、歩数計とパソコンをＵＳＢケーブルで接続して、歩数計内の歩数データをパソコンに転送し、パソコンで歩数データを管理する方法、歩数計が提供されている。（例えば、非特許文献１参照。）。
【０００７】
【非特許文献１】”オムロン商品カタログオムロンヘルスカウンタＨＪ−７１０ＩＴ”、[online]、[２００７年３月２６日検索]、インターネット＜URL:http://www.healthcare.omron.co.jp/product/hj710it_2.html＞
【発明の開示】
【発明が解決しようとする課題】
【０００８】
しかし、歩数計とパソコンをＵＳＢケーブルで接続して、歩数データを転送する方法では、歩数データの転送の際に、一々歩数計及びパソコンにＵＳＢケーブルを抜き差ししなければならず、その作業が煩雑であるといった欠点があった。そのため、歩数計とパソコンの接続が頻繁に行われることがなく、パソコンで管理することにより、健康管理に有用なデータが得られるにもかかわらず、パソコンで管理することがあまり行われていなかった。
【０００９】
そこで、本発明は、上記従来技術の欠点を解消し、歩数計とパソコンをＵＳＢケーブル等のケーブルで接続することなく、歩数計の歩数データを容易にパソコン等の情報処理装置に転送可能とすることを目的とする。又、健康管理に有用な歩数データをパソコンを用いて容易に管理することを目的とする。
【課題を解決するための手段】
【００１０】
上記課題を解決するための手段としての本発明は、歩数を計測し、記憶する歩数計であって、計測して記憶した歩数データを、外部リーダへ非接触で送信する手段を備え、該非接触で送信する手段を近距離無線通信ＩＣチップとアンテナを備えて構成したことを特徴とする歩数計である。
【００１１】
又、前記歩数計において、計測者の歩数を検出して、一歩毎に信号を出力する歩数検出部と、該歩数検出部からの出力信号を受信して歩数をカウントする計測手段と、該カウントされた歩数を記憶する記憶部と、該記憶部に記憶された歩数を表示する表示部を備えることを特徴とする歩数計である。
【００１２】
又、前記歩数計において、時刻を計時する時計を備え、前記記憶部に歩数とそのカウントされた時刻とが対応付けられて記憶されることを特徴とする歩数計である。
【００１３】
又、前記歩数計において、前記記憶部には歩数計毎に固有の端末ＩＤが記憶され、歩数データと共に前記外部非接触リーダへ送信されることを特徴とする歩数計である。
【００１４】
更に、上記何れかの歩数計と、該歩数計から非接触で歩数データを受信するリーダを備えた情報処理装置を備えて構成されることを特徴とする歩数管理システム。
【００１５】
又、上記歩数管理システムにおいて、前記情報処理装置には、前記リーダを介して前記歩数計から受信した歩数データに基づいて、歩数管理データを生成する歩数管理データ作成手段を備えていることを特徴とする歩数管理システムである。
【発明の効果】
【００１６】
以上のような本発明によれば、歩数計とパソコンをＵＳＢケーブル等のケーブルで接続することなく、歩数計の歩数データを容易にパソコン等の情報処理装置に転送することが可能となった。又、健康管理に有用な歩数データを容易にパソコンで管理することが可能となった。
【発明を実施するための最良の形態】
【００１７】
以下本発明の実施の形態を図に従って詳細に説明する。図１は本発明の歩数管理システム１の一実施形態を示す構成図である。歩数管理システム１は、近距離無線通信ＩＣチップ２を備えた歩数計３と、近距離無線通信ＩＣリーダ４とケーブル６で接続された情報処理装置であるパソコン５を備えて構成されている。
【００１８】
図２は歩数計３、近距離無線通信ＩＣリーダ４及びパソコン５の構成を示すブロック図である。歩数計３はＣＰＵ３１、歩数検出部３２、記憶部３３、表示部３４、操作部３５、時計３６、近距離無線通信部３７、電池３８を備え、記憶部３３から端末ＩＤや歩数データ等の各種情報の読み出し、更には記憶部３３に対する各種のデータの書き込みが可能になされている。近距離無線通信部３７は、近距離無線通信ＩＣリーダ４と非接触でデータの送信を行うための部であり、記憶部３３に記憶されたデータを外部のリーダ４へ非接触で送信する手段を構成している。
【００１９】
又、パソコン５とケーブル６で接続された近距離無線通信ＩＣリーダ４は、歩数計３の記憶部３３に記憶されているデータを読み出すことが出来る近距離無線通信部４７を有し、歩数計３が近距離無線通信ＩＣリーダ４にかざされた時に、歩数計３の近距離無線通信部３７を介して、歩数計３から歩数データ等の各種情報を読み出し、パソコン５に該各種情報を送ることが出来る。
【００２０】
ＣＰＵ３１は、記憶部３３のＲＯＭに記憶されたプログラムに基づき各部を制御し、演算処理を行い、近距離無線通信部３７を介して、外部の近距離無線通信ＩＣリーダ４へデータを転送する。ＣＰＵ３１は、ＲＯＭに記憶されたプログラムに基づき、歩数検出部からの出力信号を受信して歩数をカウントする計測手段となる。
【００２１】
歩数検出部３２は、歩行に伴う身体の上下動を検出することにより歩数を検出して、一歩毎に信号を出力してＣＰＵ３１へ送る。このような歩数検出部３２は、振動子が上下動し、振動子の先端にスイッチ機能を有する歩行検出センサが用いられるが、その他加速度センサ若しくはジャイロセンサ等の公知のセンサを用いて歩数を計測するものであってもよい。
【００２２】
記憶部３３は、歩数計３の各部の制御を行うためのプログラムを記憶するＲＯＭ、ＣＰＵ３１が演算処理を行い、歩数データを一時記憶するＲＡＭを備える。歩数データは、歩数検出部３２から送られた信号をＣＰＵ３１がカウントして記憶させ、歩数検出部３２が計測した歩数とそのカウントされた時刻とが対応付けられて、分毎、時毎等の一定時間毎の歩数データとして記憶されると共に、日毎の累積の歩数が記憶される。又、記憶部３３には歩数計３毎に固有の端末ＩＤが記憶されている。
【００２３】
表示部３４は、該記憶部に記憶された現在の歩数データ、累積歩数データ、日時等の表示を行う。これらの表示は、所定の組合わせで同時に表示したり、後述する操作部３５の操作により、切り換えて表示する。
【００２４】
操作部３５は、ユーザーの指示に従って、現在及び累積歩数のリセット、表示部の表示の切換、日時の設定等をＣＰＵ３１に指示する。操作部３５は歩数計３に設けられたキー７１で構成することが出来る。時計３６は、時刻を計時し、これらは表示部３４に表示される。電池３８は、各部に電力を供給する。
【００２５】
近距離無線通信部３７は、記憶部３３に記憶された歩数データを、近距離無線通信ＩＣリーダ４を介してパソコン５に転送する手段であり、ＣＰＵ、記憶部を備えて構成される近距離無線通信ＩＣチップ２と、アンテナコイル７２等のアンテナを備えて構成されている。近距離無線通信部３７は、歩数計３が近距離無線通信ＩＣリーダ４にかざされた時に近距離無線通信部４７から輻射される電磁波に応じて、記憶部３３に記憶されている端末ＩＤや歩数データを読み出し、そのデータを近距離無線通信部４７に送信する。
【００２６】
歩数計３は上記のような構成であるので、計測して記憶した歩数データを、近距離無線通信ＩＣリーダ４へ非接触で送信することが出来る。
【００２７】
近距離無線通信ＩＣリーダ４は、歩数計３から非接触で歩数データを受信する外部のリーダであり、近距離無線通信ＩＣチップ７５とアンテナコイル７４等のアンテナを備えて構成された近距離無線通信部４７を有し、歩数計３がかざされたことを検知して、歩数計３から歩数データや端末ＩＤ等の各種情報を読み出し、受信してパソコン５に該各種情報を送る。尚、近距離無線通信ＩＣリーダ４はリーダ機能を有していればよいが、ライタ機能を備えることとしてもよい。又、近距離無線通信ＩＣリーダ４はＵＳＢ等のケーブル６を用いてパソコン５と接続しているが、ケーブルを用いずに近距離無線通信ＩＣリーダ４のコネクタを直接接続する構成、パソコン本体やキーボードに内蔵させる構成を用いてもよい。
【００２８】
パソコン５は、ＣＰＵ５１、操作部５２、表示部５３、通信部５４、記憶部５５を備えた公知の汎用パソコンを用いている。記憶部５５にはリーダ４を制御するプログラム、歩数計３から送信された歩数データを管理するためのプログラム等が記憶されている。
【００２９】
記憶部５５は歩数管理のためのプログラム等を記憶するディスク、受信した歩数データ等を一時記憶するＲＡＭを備える。歩数計測のためのプログラムは、受信した歩数データを各種表やグラフにするものである。
【００３０】
操作部５２は、キーボードやマウスで構成され、ユーザーの操作に従って、所定の指示を入力する。
【００３１】
表示部５３は、ＣＰＵ５１が生成し、指示した表示用のデータ画像を表示するモニタからなる。ここで表示される画像は、歩数データの各種表やグラフである。
【００３２】
ＣＰＵ５１は、記憶部５５に記憶されたプログラムに基づき演算処理を行い、近距離無線通信ＩＣリーダ４を介して、歩数計３からの歩数データを受け取る。ＣＰＵ５１は、受信した歩数データを記憶部５５に記憶させ、歩数計のデータを管理するためのプログラムに基づき、歩数データを管理、編集し、所定の時間毎の歩数、累積の歩数、日毎、周毎、月毎の歩数等を算出し、歩数管理データを生成して、その結果を表やグラフ等で表示部５２に表示させる。ＣＰＵ５１は、ディスクに記憶された歩数管理のためのプログラム、ＲＡＭ等と共に歩数管理データ作成手段を構成する。尚、歩数データを管理するためのプログラムは、単に歩数を管理するのみならず、歩数を基にした消費カロリー等を計算する健康管理のためのプログラムとして、歩数管理データ作成手段は、歩数計３から受信した歩数データに基づいて種々の健康情報を作成し、表示させるものとしてもよい。
【００３３】
又、歩数計３は、記憶部３３に歩数計毎に固有の端末ＩＤが記憶され、ＣＰＵ５１は、受信した端末ＩＤ毎に上記処理を行うので、個々の利用者毎の管理を行うことが出来る。従って、近距離無線通信ＩＣリーダ４及びパソコン５が１台あれば、複数の歩数計３の利用者と共用することが出来、近距離無線通信ＩＣリーダ４及びパソコン５は各家庭、或いはフィットネスクラブ等の施設毎に１台設置すればよい。
【００３４】
以上のような構成により、歩数計３で計測した歩数を、歩数計３に内蔵した近距離無線通信ＩＣチップ２及びアンテナコイル７２を用いて、リーダ４にかざすだけで、容易にパソコン５へ歩数のデータを転送することが出来、歩数データを容易にパソコンで管理することが可能となった。
【００３５】
次に、歩数計３を含む歩数管理システム１の処理手順について説明する。先ず、歩数計３を使用者がポケットに入れる等して携帯し、歩行を開始すると、歩数検出部３２が身体の上下動を検出することにより歩数を検出して、一歩毎に信号をＣＰＵ３１へ送る。ＣＰＵ３１はその信号を受けて、歩数をカウントし、分毎、時毎等の任意の一定時間毎の累積の歩数を算出し、該カウント値を時刻と対応付けて、記憶部３３に転送し、記憶部３３では、一定時間毎の歩数を記憶すると共に、累積の歩数を記憶する。又、表示部３４には、日毎の累積歩数が表示される。
【００３６】
そして、パソコン５の歩数管理の為のプログラムの起動において、近距離無線通信ＩＣリーダ４に歩数計３をかざすと、時刻と対応付けられた歩数及び一定時間毎の累積の歩数のデータが近距離無線通信ＩＣリーダ４を介してパソコン５へ転送される。
【００３７】
パソコン５では、上述したように、ＣＰＵ５１が受信した歩数データを記憶部５５に記憶させ、該データを処理して、その結果を表やグラフ等で表示部５２に表示させる。
【００３８】
歩数計３に記憶された歩数は、操作部３５の操作により、任意にリセットすることが可能である。尚、日毎の累積歩数は、一定日数分、個々に記憶部３３のＲＡＭに記憶されることとしてもよい。
【００３９】
尚、上記では歩数計の一実施形態で説明したが、本発明に用いられる歩数計は、近距離無線通信ＩＣチップ２及びアンテナコイル７２を備えていれば、この形態に限定されず、上記の機能とは別個の構成の歩数計、これらの形態に加えて様々な機能を有する公知の歩数計を用いることが出来る。又、情報処理装置の一例としてパソコンで説明したが、情報処理装置はパソコンに限定されることなく、上記構成、機能を有するＰＤＡや携帯電話等の携帯端末を用いることもできる。
【図面の簡単な説明】
【００４０】
【図１】本発明の歩数管理システム１の一実施形態を示す構成図
【図２】本発明の歩数管理システム１の一実施形態を示すブロック図
【符号の説明】
【００４１】
１    歩数管理システム
２    近距離無線通信ＩＣチップ
３    歩数計
３１  ＣＰＵ
３２  歩数検出部
３３  記憶部
３４  表示部
３５  操作部
３６  時計
３７  近距離無線通信部
３８  電池
４    近距離無線通信ＩＣリーダ
４７  近距離無線通信部
５    パソコン
６    ケーブル
７２  アンテナコイル
７４  アンテナコイル
７５  近距離無線通信ＩＣチップ
【図１】
2008276581.tif 000003
【図２】
2008276581.tif 000004